(57)【要約】【課題】ホルダー本体の存在が突出物となり、人物などへの損傷を及ぼす問題があった。本発明はホルダーの使用の有無にかかわらず本来のホルダーの形態を維持しながら人物などに及ぼす損傷などを極少し安全で利便性を高める事を目的とする。【手段】ホルダー部分が柔弾体及び半球体であるため突出部量の調節を要せず人物などに及ぼす損傷を極少するものとした。また軽く押し入れるだけで容易に使用可能であり取り付け部分が接着剤（シールタイプ）である為、広範囲において利便性を高める効果を発揮するものである。【選択図】図１
2008011866.tif 000002
【特許請求の範囲】
【請求項１】
ホルダー部分が柔弾体で半球体であるため正確に狭い位置取りすることなく、ホルダー本体のほぼ中心に軽く押し入れる事により容易に使用可能とした請求項１記載の杖ホルダー。
【請求項２】
上記の性質を持ち合わせているため突出量を調整する事無く接触した際の人物などへの損傷などを極少出来るように安全性を施した事を特徴とする請求項２記載の杖ホルダー。
【請求項３】
取り付け部材を使用する事無く、接着剤（シールタイプ）で貼り付けるため設置取り付け箇所の範囲を広くし多様化できることを特徴とした請求項１または３記載の杖ホルダー。
【請求項４】
更に接着部分（シールタイプ）の接着度の強弱を選定できるため永久的に使用する箇所にはボルトで取り付けも可能とし、外出先など一時的に使用する箇所においては使用後、容易に取り外し処分できるため使い切ることも特徴とする請求項１〜５記載の杖ホルダー。
【請求項５】
前記設置接着部分がシールタイプのため設置箇所の損傷も極少する事を特徴とした請求項１〜５記載の杖ホルダー。
【発明の詳細な説明】
【技術分野】
【０００１】本発明はホルダー本体が突出物となりうる性質上の欠点に安全性を施した杖ホルダーに関する
【背景技術】
【０００２】杖ホルダーはおもに病院の受付やトイレなどにおいて設置される
従来のホルダーには（特開２００５−２８８０９６号）に示されるように密着性の高いスティックホルダーや、（実用新案登録第３１１８９５７号）に示すように押し込むだけで容易に杖を握りもち可能な杖ホルダーが開発されている。
【特許文献１】  特開２００５−２８８０９６号
【特許文献２】  実用新案登録  第３１１８９５７号
【０００３】しかし前者のスティックホルダー及び後者の杖ホルダーの場合においてもホルダー部分の突出量を減少させるためにつけ外す作業や、壁面部にホルダー部分を回動するなどの作業を要した。またその作業を忘れた場合においては突出部として残りあまり好ましい形態ではない。
【発明が解決しようとする課題】
【０００４】以上に述べた従来の杖ホルダーでは杖ホルダー本体の突出部が人物などへの損傷を及ぼす恐れを解消するにあたり、そのホルダーの突出量を減少するためにホルダー部分の取り外しや取り付け又は回動させるなどの作業が伴うものであった。
【０００５】本発明はこのような従来の構成が有していた問題を解決しようとするものである。さらに設置取り付け箇所も広範囲の提供を可能とし、突出量の調整が必要無くホルダー本体の形態を維持し、安全性を高め使用可能出来る事を目的とするものである。
【課題を解決するための手段】
【０００６】そして本発明は上記目的を達成する為にホルダーを柔弾体且つ半球体とし正確に狭い位置取りをする事無くホルダー本体のほぼ中心に軽く押し入れる事により容易に使用できることを可能とした。
【０００７】また第一の課題解決手段による作用は次のとおりである。上述のような性質を持ち合わせているため特出量を調整する事無く使用可能とし接触した際の人物などへの損傷を極少出来るように安全を施したものである。
【０００８】また第２の課題手段による作用は取り付け部材を使用することなく接着剤（シールタイプ）で貼り付けるため設置取り付け箇所の範囲を広くし多様化できる効果を発揮する。
【０００９】さらに接着部分（シールタイプ）の接着度の強弱を選定できるため永久的に設置する箇所においてはボルトなどで取り付ける事も可能とし、外出先などで一時的に使用する場合においては使用後容易に取り外し処分できるため使い切る事も可能である。
【００１０】設置接着部がシールタイプである為、設置取り付け箇所への損傷も極少できることを可能とした。
【発明の効果】
【００１１】上述したように本発明は容易に使用可能であるとともに使用の有無にかかわらず安全性を高めながらホルダー本来の形態を維持できるという利点がある
【００１２】また安全性を特徴とするため特に幼児子供などの目線に触れるおそれのある建物公共施設などに使用可能とし病院内に留まらず金融機関等の窓口又は店舗のキャッシャーなど杖使用者のあらゆる行動範囲において容易に取り付け可能と利便性を高める効力を発揮した。
【００１３】さらに家庭内における寝室トイレ玄関先洗面所キッチンなどにも設置可能であり公共の場においては目立つ配色を使用することにより杖使用者への配慮を施しデザイン的にも多様化できるものとした
【００１４】更に使用回数の多いと見られる待合室や電車の椅子本体に予めホルダーの形態を取り入れ製造する事も可能とした特に電車のシルバーシートの脇面などにも取り付けることにより効果を発揮できるものとした
【００１５】またホルダー本体の柔弾体に強弱をつけることにより、他の細長い物（ゴルフのクラブまたは傘など）も一時的に保持する事を可能とし、ホルダー本体を小さくする事により体に装着可能の筆筆記用具なども一時的に保持を可能となり更に利便性と多様化の効果を発揮するものである。
【発明を実施するための最良の形態】
【００１６】以上本発明の形態を図１〜５図に基づいて説明する。
本発明による好ましい実施形態において前期ホルダー部材は図２において全体的に柔弾体で製造されていることを特徴とするため軽い力で正確な位置取りを必要とせず容易に使用できるものとする【００１７】本発明の他の好ましい形態においてはさらに図２のようにホルダー全体が丸みを帯びているため外見的にも安心感を与えるものである。さらにこのような形態においてホルダーに接触した場合の安全性を発揮することを特徴とするものである。【００１８】本発明の他の好ましい形態においてはホルダーの取り付け部分を接着剤（シールタイプ）とし貼り付ける個所の範囲を広げ貼り付け部分の損傷も極少する事を特徴とした。
【発明の効果】
【００１９】上述したように本発明は容易に使用可能であるとともに使用の有無にかかわらず安全性を高めながらホルダー本来の形態を維持できるという利点がある
【００２０】また安全性を特徴とするため特に幼児子供などの目線に触れるおそれのある建物公共施設などに使用可能とし病院内に留まらず金融機関の窓口、店舗のキャッシャーなど杖使用者によるあらゆる行動範囲において利便性を高める効力を発揮した。
【００２１】さらに家庭内における寝室トイレ、玄関先、洗面所、キッチンなどの他に家具などにも直接設置可能であり特に公共の場においては目立つ配色などを使用する事により杖使用者などへの配慮も考慮しデザイン性も高めより多様化できるものとした。
【００２２】更に使用回数の多いと見られる待合室や電車の椅子本体に予めホルダーの形態を取り入れ製造する事も可能とした特に電車のシルバーシートの脇面などにも取り付けることにより効果を発揮できるものとした。
【００２３】またホルダー本体の柔弾体に強弱をつけることにより、他の細長い物（ゴルフのクラブまたは傘など）も一時的に保持する事を可能とし、ホルダー本体を小さくする事により体に装着可能の筆筆記用具なども一時的に保持を可能となり更に利便性と多様化の効果を発揮するものである。
【産業上の利用可能性】
【００２４】以上説明したように本発明はホルダー本体が柔弾性を持つ素材で製造されているため正確に狭い位置取の必要はなく、ホルダーのほぼ中心に軽く押し入れる事により容易に使用可能とした。さらにホルダーが柔弾体及び半球体であるため、突出量の調整の必要がなく人物などへの損傷を極少する事を可能とする安全性を施した物である。さらに設置取り付け部分を接着剤（シールタイプ）としたため容易に使用でき設置箇所を広範囲にし設置箇所部分への損傷を極少したものとした。
【図面の簡単な説明】
【００２５】
【図１】本発明による杖ホルダーの実地形態を示す正面図
【図２】同杖ホルダーの正面図
【図３】同杖ホルダーの接着部分の裏面図
【図４】同杖ホルダーの実地形態を示す側面図
【図５】同杖ホルダーの実地形態の斜視図
【符号の説明】
【００２６】１  杖ホルダー
２  杖
３  杖ホルダー接着シール部分の裏面
４  杖ホルダー接着シール部分側面
【図１】
2008011866.tif 000003
【図２】
2008011866.tif 000004
【図３】
2008011866.tif 000005
【図４】
2008011866.tif 000006
【図５】
2008011866.tif 000007